(57)【要約】【課題】サラウンドスピーカシステムの特にリアスピーカ位置を適正位置に調整可能な音場調整用スピーカ装置及びスピーカ取付装置を提供する。【解決手段】室内の天井２２や壁２１等にガイドレール部材２０（２０Ｌ，２０Ｒ，２０Ｂ，２０Ｂ１　，２０Ｂ２　）を敷設し、ガイドレール２０上を摺動可能となしたスピーカ装置３０（１４，１５，１６，１７，１８，１９）を所定位置に配設し、ロックすることでガイドレール部材２０の所定位置に固定させて最適音場で聴取可能な音場調整用スピーカ装置及びスピーカ取付装置を得る。【選択図】　　　　図１
2004032531.tif 000002
【特許請求の範囲】
【請求項１】
室内の天井或は壁にガイドレール部材を敷設し、該ガイドレールに摺動可能にスピーカ装置を装着し、音場調整時に該スピーカ装置を該ガイドレールに沿って移動させ所定位置設定時に該移動させた該スピーカ装置をロックさせる様に成したことを特徴とする音場調整用スピーカ装置。
【請求項２】
固定部に装着されたガイドレール部材と、
上記ガイドレール部材に摺動可能になされた摺動部材と、
上記摺動部材に装着されたスピーカ装置とを具備し、
上記ガイドレール部材の所定位置に上記スピーカ装置を移動後に該スピーカ装置をロック可能なロック部材を有することを特徴とするスピーカ取付装置。
【請求項３】
前記ガイドレール部材は長手方向と直交する断面がＣ型の開口溝を有し、前記摺動部材の摺動部は上記開口溝内に挿入及び摺動可能であり、該摺動部材に装着した前記スピーカを９０度回転させると該開口溝両端が該摺動部材を挟着して前記ロック部材を構成させたことを特徴とする請求項２記載のスピーカ取付装置。
【請求項４】
前記ガイドレール部材にはアンプに接続可能な給電線を設け、前記ロック部材を動作させるとスピーカの配線が完了する様に成したことを特徴とする請求項１記載の音場調整用スピーカ装置。
【請求項５】
前記ガイドレール部材にはアンプに接続可能な給電線を設け、前記ロック部材を動作させるとスピーカの配線が完了する様に成したことを特徴とする請求項２又は請求項３記載のいづれか１項記載のスピーカ取付装置。
【請求項６】
前記ガイドレール部材は長手方向に対向するバネ部材を有し、互に絶縁された２組の雌コンタクト部材から構成され、前記摺動部材は前記スピーカ装置に装着した雄コンタクト部材で構成し、前記ロック部材を該バネ部材と成したことを特徴とする請求項２記載のスピーカ取付装置。
【請求項７】
前記ガイドレール部材が長手方向に敷設したネジ部材であり、前記摺動部材は該ネジ部材に螺合する案内部材であり、前記ロック部材は、該螺子部と該案内部の螺合部で構成されていることを特徴とする請求項２記載のスピーカ取付装置。
【請求項８】
前記摺動部材が給電線を構成するコンタクト部材或は給電線を内蔵し、該給電線は前記ガイドレール部材の前記給電線に摺動可能に対接する様に成したことを特徴とする請求項４記載の音場調整用スピーカ装置。
【請求項９】
前記摺動部材が給電線を構成するコンタクト部材或は給電線を内蔵し、該給電線は前記ガイドレール部材の前記給電線に摺動可能に対接する様に成したことを特徴とする請求項５記載のスピーカ取付装置。
【発明の詳細な説明】
【０００１】
【発明の属する技術分野】
本発明は、サラウンドスピーカ装置に用いて有用な音場調整用スピーカ装置及びスピーカ取付装置に関する。
【０００２】
【従来の技術】
従来から、図６に示す様にスピーカ取付装置として、自動車の車体や天井部２に設けた荷物棚４にラック本体３を設け、このラック本体３の開口部の上下にガイドレール５，６を敷設し、これらガイドレール５，６に案内子７，８を摺動自在に枢着し、この案内子７，８にスピーカボックス９を共に移動できる様に取付け、スピーカボックス９内にスピーカ１０を付設した車両用スピーカ取付装置１が実開平２−８７６４４号公報に開示されている。
【０００３】
【発明が解決しようとする課題】
上述の従来構成に示されたスピーカの取付装置ではスピーカボックス９の上下に２本のガイドレール５，６を必要とするだけでなく、スピーカボックス９を所定位置に移動させた後でスピーカボックス９をネジでガイドレールに固定した後にスピーカ１０を取り付ける構造の為に移動後のスピーカの配線が極めて繁雑となる課題が生ずる。
【０００４】
本発明は叙上の課題を解消すると共にサラウンドスピーカシステムの音響効果を簡単に高め得る音場調整用スピーカ装置とロック位置でスピーカへの配線が完了可能なスピーカ取付装置を提供するにある。
【０００５】
【課題を解決するための手段】
本発明の音場調整用スピーカ装置は室内の所定の固定個所にガイドレール部材を敷設し、ガイドレール部材に摺動可能にスピーカ装置を装着し、音場調整時にスピーカ装置をガイドレールに沿って移動させ所定位置設定時に該移動させたスピーカ装置をロックさせる様に成したものであり、本発明のスピーカ取付装置は固定部に装着されたガイドレール部材と、ガイドレール部材に摺動可能になされた摺動部材と、この摺動部材に装着されたスピーカ装置とを具備し、ガイドレール部材の所定位置にスピーカ装置を移動後にスピーカ装置をロック可能なロック部材を有するものである。
【０００６】
本発明の音場調整用スピーカ装置及びスピーカ取付装置に依れば、サラウンドスピーカシステムの特にリアスピーカ装置を天井や壁面に固定する際にガイドレール部材を敷設し、該ガイドレール部材の長手方向に摺動自在と成し、サラウンドシステムでの音響効果が最大に発揮される位置にスピーカ装置を持ち来す様にスライドさせて、ロック手段を介して、所定位置にロックさせることで簡単に最適位置に固定可能なものが得られる。
【０００７】
【発明の実施の形態】
以下、本発明の１形態例を図１乃至図３を用いて説明する。図１は本発明の音場調整用スピーカ装置を室内配置した場合の平面図及びサラウンドシステムのリア部分の側面図、図２はスピーカ装置の取付状態を示す分解斜視図、図３は図２のガイドレール部材にスピーカ装置を装着した状態を示す側断面図である。
【０００８】
図１（Ａ）は室内１１に配置したサラウンドスピーカシステムのスピーカ配置を示す１例であり、聴取者１２の前方には駆動用の電力増幅器（以下アンプと記す）１３と共に前面スピーカ装置（ＦＳ）１４、左前方スピーカ装置（ＦＬＳ）１５、右前方スピーカ装置（ＦＲＳ）１６が配置される。又、聴取者１２の後方には後方スピーカ装置（ＲＳ）１７、左後方スピーカ装置（ＬＬＳ）１８、右後方スピーカ装置（ＬＲＳ）１９が配設される。
【０００９】
上述の聴取者１２の後方に配置されるＲＳ１７，ＬＬＳ１８，ＬＲＳ１９の夫々のスピーカ装置は通常は室１１が狭いため天井２２や壁２１に金具を介してビス等で直接固定される場合が多い。然し、この様なケースで各スピーカ装置のＲＳ１７，ＬＬＳ１８，ＬＲＳ１９の固定位置が最適位置であれば良いが最適位置でない場合は、敷設場所を数ｃｍ移動すると音響効果が大きく変化して、サラウンドのスピーカシステム音響効果を充分に発揮できないことと、一度ＲＳ１７，ＬＬＳ１８，ＬＲＳ１９を固定させてしまうと、従来のスピーカ装置を取り付ける金具では取り外しが大変な為ユーザはＳ１７，ＬＬＳ１８，ＬＲＳ１９をそのままの位置で使用するために迫力があり臨場感豊かな、理想的なサラウンドスピーカシステム環境を体験できないまま利用することになる。
【００１０】
そこで、本発明に於いては、図１（Ａ）に示す様に室１１の後方の天井（図１Ｂ参照）２２或は壁２１に左右のガイドレール部材２０Ｌ，２０Ｒ及び後方のガイドレール部材２０Ｂをビス等で固定し、固定させた各ガイドレール部材２０Ｌ，２０Ｒ，２０Ｂに対し、夫々ＬＬＳ１８，ＬＲＳ１９，ＲＳ１７を各ガイドレール部材２０Ｌ，２０Ｒ，２０Ｂの長手方向に摺動可能に装着させる。
【００１１】
図１Ｂに示す形態例ではＲＳ１７を壁２１に高さ方向にスピーカ装置位置が調整可能となる様にガイドレール部材２０Ｂ１　を固定した場合と、天井２２の左右に室１１の奥行方向に配設したガイドレール部材２０Ｌ，２０Ｒから垂下させ、高さ方向位置を調整可能なガイドレール部材２０Ｂ２　にＲＳ１７を高さ方向に摺動可能に装着させたものであり、左右のガイドレール部材２０Ｌ及び２０Ｒに垂下するガイドレール部材２０Ｂ２　は左右のガイドレール部材２０Ｌ及び２０Ｒの長手方向に摺動可能な例えば、断面が逆Ｔ字状の継手部材を介して結合されている。
【００１２】
上述の夫々のガイドレール部材２０Ｌ，２０Ｒ，２０Ｂ，２０Ｂ１　，２０Ｂ２　（以下符号２０と記す）の１形態例を図２及び図３によって詳記する。
【００１３】
図２に示すガイドレール部材２０はスチール等の金属、或は合成樹脂材料を引抜方法によって形成する。例えば中空方形の引抜管の一方の面に開口溝２３を形成して長手方向と直交する断面がＣ字状と成され、背面板２４には天井２２へビス２８を介して取付ける為の取付孔２５ａが穿たれ、前面板２５側にはガイドレール部材２０の長手方向に沿って開口溝２３が形成されている。
【００１４】
又、左右側板（図２では上下）２６Ｌ，２６Ｒの内面には給電線２７をガイドレール部材２０が金属の場合は絶縁させ、合成樹脂の場合は一体に埋め込み成型する等してガイドレール部材２０の長手方向に沿って敷設する。
【００１５】
上述のガイドレール部材２０の開口溝２３に挿入可能で且つ摺動自在と成され、スピーカ装置のＦＳ１４，ＦＬＳ１５，ＦＲＳ１６，ＲＳ１７，ＬＬＳ１８，ＬＲＳ１９（以下、スピーカ装置３０と記す）を装着可能な摺動部材２９を形成する。
【００１６】
この摺動部材２９は図２及び図３に示す様に略直方体状に形成されたスピーカ装置３０の取付部３１とこの取付部３１の略中央位置から一方向に延設した略Ｔ字状の摺動部３２より構成されている。
【００１７】
Ｔ字状に形成された摺動部３２の先端の水平部３２Ｈの幅Ｗはガイドレール部材２０の開口溝２３の溝幅Ｗ１　に比べて小さく（Ｗ＜Ｗ１　）選択される。従って、摺動部３２の水平部３２Ｈは開口部２３を通して、前面板２５側から挿入可能である。
【００１８】
又、摺動部３２の垂直部３２Ｖの幅Ｗ３　はガイドレール部材２０の開口溝２３の幅Ｗ１　より大きく（Ｗ３　＞Ｗ１　）選択する。
【００１９】
摺動部３２の水平部３２Ｈの左右端には接点３３Ｌ，３３Ｒが配設され、夫々の接点３３Ｌ，３３Ｒは図３の側断面図に示すように、取付部３１の右端に立設させた端子３４Ｌ，３４Ｒにワイヤ４２等を介して夫々独立に接続されている。
【００２０】
更に、取付部３１の前面側には図２に示す様にスピーカ装置３０を固定するための雌ネジ３５が形成されている。
【００２１】
スピーカ装置３０のスピーカボックス３６内にバッフル板に穿った放音孔に対向してスピーカ３７が固定され、スピーカボックス３６の背面板３８には摺動部材３１の取付部３１に形成した雌ネジ３５位置に対応する透孔３９を介して背面板３８が雄ネジ４０で固定される。背面板に立設した端子４１Ｌ，４１Ｒは取付部の端子３４Ｌ，３４Ｒと夫々接続されている。
【００２２】
上述構成のガイドレール部材２０と、スピーカ装置３０に固定された摺動部材２９の取付方法を以下説明する。
【００２３】
先ず、室内のリア用スピーカ装置配置位置近傍の例えば天井２２と後部の壁２１にビス２８を介してガイドレール部材２０を固定する。
【００２４】
次に、摺動部材２９が固定されたスピーカ装置３０を横にすると摺動部材２９は図２（Ａ）に示す様に直方体状の取付部３１及び摺動部３２の水平部３２Ｈの長手方向は水平方向（Ｘ軸方向）に成される。
【００２５】
この状態では摺動部３２の水平部３２Ｈと垂直部３２Ｖはガイドレール部材２０の前面板２５側から開口溝２３内に容易に挿入可能である。
【００２６】
この状態でスピーカ装置３０を開口溝２３に沿ってサラウンドスピーカシステムの音場が最適となる位置に摺動させて、所定適正位置でスピーカ装置３０を９０度回転させて図２（Ｂ）に示す様に摺動部材２９の取付部３１を垂直方向（Ｙ軸方向）に立てる様にスピーカ装置３０を垂直に回転させれば摺動部３２の水平部３２Ｈは図２（Ｂ）の様にＹ軸方向に立ち上り、左右の接点３３Ｌ及び３３Ｒがガイドレール部材２０の左右側板２６Ｌ及び２６Ｒ内に敷設した給電線２７と接触すると同時に摺動部３２の垂直部３２Ｖがガイドレール部材２０の開口溝２３内で９０度回転する。
【００２７】
従って、ガイドレール部材２０の前面板２５の開口溝２３の両端縁間の距離Ｗ１　に比べて垂直部３２Ｖの幅Ｗ３　はＷ１　＜Ｗ３　の関係から、開口溝２３の両端縁は垂直部３２Ｖの上下端を挟着することで、スピーカ装置３０をロック状態にすると同時に、スピーカ装置３０のスピーカ３７を給電線２７を介して電力増幅器やテレビジョン受像機に接続可能と成る。
【００２８】
上述の説明では摺動部材２９に予めスピーカ装置３０を取り付けた状態でのスピーカ装置取付方法を説明したが、摺動部材２９をガイドレール部材２０の所定位置に摺動させて、ロック状態とした後に、図２（Ｂ）に示すスピーカ３７を内蔵したスピーカボックス３６の背面板３８を取付部３１に雄ネジ４０を介して螺着後にスピーカ３７との配線を行なった後に図示しないがスピーカボックス３６を背面板３８にワンタッチで固定する様にすることも出来る。
【００２９】
図４は本発明のスピーカ取付装置の他の形態例を示すものである。図４に於いて、スピーカ装置３０の背面板３８には端子兼用のプラグとなる雄コンタクト部材４４を２本立設する。このコンタクト部材４４は図３の摺動部材２９と略同一動作が行なわれる。また並設され雄コンタクト部材４４のスピーカボックス３６内ではスピーカ３７と配線が成される。
【００３０】
天井２２や壁２１に固定されるガイドレール部材は図４の側断面図に示すように、通常のテーブルタップと同様に構成される。ただし、ガイドレール部材２０内に固定した２組の雌コンタクト部材４５は夫々紙面と直交する方向にガイドレール部材２０の筺体部を構成する本体４６及びカバー４７と同様に延設されている。
【００３１】
即ち２組の雌コンタクト部材４５は、その断面がコ字状に折り曲げられたコ字状の開放端を内側に所定曲率で折り曲げてバネ力が付与される様な形状と成され、燐青銅等のバネ素材でバネ部材４９が成形されている。
【００３２】
上述の折り曲げ部が接する位置と対向して、カバー４７には雄コンタクト部材４４が挿通可能な溝４８が図４の紙面と直交する方向に延設されている。
【００３３】
上述構成のガイドレール部材２０によれば、スピーカ装置３０を長手方向に延設されたカバー４７の溝４８上をスライドさせ、最適音響効果の得られる所定位置にスピーカボックスの背面に立設した雄コンタクト４４、即ちプラグを押し込めば雌コンタクト４５のバネ部材４９によってプラグ４４は挟着され、スピーカ３７への音響信号の導通と同時にバネ部材４９がロック機構として機能し、スピーカ装置３０を所定位置にワンタッチで保持することが出来る。
【００３４】
図５は本発明のスピーカ取付装置の更に他の構成を示す側面図である。図５の構成ではガイドレール部材２０として軸受間に架設したスクリューネジ５１に断面が略逆Ｔ字状の図３での摺動部材２９と略同一動作を行なう案内部材５２の螺合部５３に螺合させスクリューネジ５１の長手方向に移動可能となす。
【００３５】
又、案内部材５２を構成する取付部５４の下端にはスピーカ３７を内蔵したスピーカボックス３６から成るスピーカ装置３０を適宜方法で固定する。
【００３６】
軸受５０及び５０間にはスクリューネジ５１を挟んで２本の給電線２７が架張され、これら２本の給電請２７は案内部材５２の螺合部５３を貫通する様に配設され、２本の給電線２７の各々の一端は電力増幅器（ＡＭＰ）１３へ接続されている。
【００３７】
案内部材５２の螺合部５３の給電線２７が貫通する貫通孔と対向して、摺動接点が形成されワイヤを介して取付部５４の一方の側壁に設けた端子３４Ｌ及び３４Ｒに接続されている。端子３４Ｌ，３４Ｒとスピーカ装置３０の端子４１Ｌ，４１Ｒとはリード線を介して接続する。
【００３８】
又、スクリューネジ５１を支持する一方の軸受５０から突出させたシャフト５５の一端にハンドル５６をシャフト５５が回動可能に枢着させて、スクリューネジ５１を回動可能としている。
【００３９】
上述構成のスピーカ取付装置によれば、ハンドル５６を回動させることでシャフト５５を含むスクリューネジ５１が軸受５０，５０間で回動し、スクリューネジ５１の雄ネジと、螺合する案内部材５２の螺合部５３の雌ネジはスクリューネジ５１のピッチに応じて長手方向に移動可能であり、スピーカ装置３０をスクリューネジ５１の長手方向の所定位置に固定可能となる。
【００４０】
上述の構成でのロック機能は停止位置でのスクリューネジ５１の雄ネジと螺合部５３の雌ネジ間の摩擦による螺合度合いで自動的にロックされることになる。
【００４１】
尚、上述ではハンドル５６でスクリューネジ５１を回動させたがシャフト５５にモータ等を配設して自動的にオン、オフ制御してスピーカ装置を所定位置に移動させることが出来る。
【００４２】
本発明の音場調整用スピーカ装置及びスピーカ取付装置によれば極めて簡単にサラウンドスピーカシステムのスピーカ位置を移動可能となり、リアスピーカを固定した場合に比べて容易に移動可能でサラウンドスピーカシステムの立体感、臨場感等を最適位置に配設させることが出来る。
【００４３】
【発明の効果】
本発明によれば以下の効果を容易に得ることが出来る。
１．ワンタッチで簡単にサラウンドスピーカの位置を移動することが出来る。
２．スピーカの位置を数ｃｍ単位で移動出来るためユーザは音の立体感、臨場感が最適になる位置にスピーカを設置し、理想的なＡＶ環境を体験することが出来る。
３．レールをつなぎ足せばスピーカの設置範囲が広がり映像や音楽の種類により変化するスピーカの最適位置に対応することも出来る。
４．ユーザには映像や音楽を見聞きするだけでなく、スピーカの位置による音響変化を体験し、ハードをさわる楽しさも知ってもらえる。
５．聴取している部屋の中に、音の迫力が足りない場合があった場合、そこにスピーカを増設することも容易である。
【図面の簡単な説明】
【図１】本発明の音場調整用スピーカ装置を室内配置した場合の平面図及びサラウンドシステムのリア部分の側面図である。
【図２】本発明のスピーカ取付装置を示す分解斜視図である。
【図３】図２のガイドレール部材にスピーカ装置を装着した状態を示す側断面図である。
【図４】本発明のスピーカ取付装置の他の構成を示す図３と同様の側断面図である。
【図５】本発明のスピーカ取付装置の更に他の構成を示す一部を断面とした側面図である。
【図６】従来のスピーカ取付装置を示す要部の側断面図である。
【符号の説明】
１１‥‥室、１２‥‥聴取者、１４‥‥前面スピーカ装置（ＦＳ）、１５‥‥左前方スピーカ装置（ＦＬＳ）、１６‥‥右前方スピーカ装置（ＦＲＳ）、１７‥‥後方スピーカ装置（ＲＳ）、１８‥‥左後方スピーカ装置（ＬＬＳ）、１９‥‥右後方スピーカ装置（ＬＲＳ）、２０，２０Ｌ，２０Ｒ‥‥ガイドレール部材、２７‥‥給電線、２９‥‥摺動部材、３０‥‥スピーカ装置、３１‥‥取付部、３２‥‥摺動部、３６‥‥スピーカボックス、３７‥‥スピーカ
【図１】
2004032531.tif 000003
【図２】
2004032531.tif 000004
【図３】
2004032531.tif 000005
【図４】
2004032531.tif 000006
【図５】
2004032531.tif 000007
【図６】
2004032531.tif 000008